(57)【要約】      （修正有）【課題】切り花を任意の場所に活けることができ、飾り花のデザインを自由に創出することが可能な飾り花用フレーム容器を提供する。【解決手段】切り花を差し込む鮮度保持容器１０を設ける。複数の鮮度保持容器１０を保持する保持体２０を設ける。保持体２０の前面に複数の収納凹部を形成する。収納凹部に鮮度保持容器１０を嵌合保持する。支柱３０を介して花器４０の上部に保持体２０を立設する。鮮度保持容器１０と花器４０とに差し込まれた切り花Ｐとで保持体２０の前面を飾り付けるように構成する。【選択図】図１
0003178088.tif 000002
【実用新案登録請求の範囲】
【請求項１】
鮮度保持剤が充填され切り花の茎端部を差し込むように構成された鮮度保持容器と、複数の鮮度保持容器を保持する保持体とで構成され、保持体に形成された複数の収納凹部に鮮度保持容器を嵌合保持し、該鮮度保持容器に茎部を差し込んだ切り花にて、保持体を飾り付けるように構成したことを特徴とする飾り花用保持容器。
【請求項２】
前記保持体は、支柱を介して花器の上部に立設され、前記収納凹部は、前記保持体の前面に形成され、花器に差し込まれた切り花と前記保持体前面の前記鮮度保持容器に差し込んだ切り花とで前記保持体を飾り付けるように構成した請求項１記載の飾り花用保持容器。
【請求項３】
前記保持体はハート形のフレーム状を成し、該保持体の下端部を前記花器の開口部前側に立設した前記支柱で支持し、保持体の上端部を前記花器の開口部後側に立設した前記支柱で支持するように構成し、前記花器に差し込まれた切り花と前記保持体の前記鮮度保持容器に差し込んだ切り花とでハート形状の飾り花を形成するように構成した請求項２記載の飾り花用保持容器。
【考案の詳細な説明】
【技術分野】
【０００１】
本考案は、切り花を任意の場所に飾り付けることができ、飾り花のデザインを自由に創出することが可能な飾り花用フレーム容器に関するものである。
【背景技術】
【０００２】
切り花を贈る際に、ブーケなどの花束として贈る場合や、花篭等に切り花を差し込んで形成する、所謂フラワーアレンジメントとして贈る場合などがある。
【０００３】
一方、特許文献１では、法事に使用する生花において、花器に活けられた花同士の隙間を目立たなくするため、花の背後に立設する背板を設けた生花容器が記載されている。このような背板を設けることで、生花の装飾効果を高めようとするものである。
【先行技術文献】
【特許文献】
【０００４】
【特許文献１】特開２００７−１９０２６８号公報
【考案の概要】
【考案が解決しようとする課題】
【０００５】
ところが、花束で贈る場合は、花の種類や数が重要になり、この花によって趣向に富んだデザインを形成することは困難である。また、フラワーアレンジメントでは、あたかも花篭等に花を盛り付けたようなデザインになるので、プレゼント等として使用するのに最適であるが、デザイン自体は、花篭と花の種類が変わるだけで、印象を大きく変えるようなデザインを創出することはできない。
【０００６】
一方、特許文献１に記載されている生花容器では、持運びができるように花器に活けることは可能でも、生花を背板に合わせてアレンジすることになる。しかも、法事で使用する場合に限られるので、花で創出するデザインも限定されることになる。
【０００７】
そこで本考案は、切り花を任意の場所に活けることができるようにすることで、飾り花のデザイン形状を自由に創出することが可能な飾り花用フレーム容器の提供を目的とするものである。
【課題を解決するための手段】
【０００８】
上述の目的を達成すべく本考案の第１の手段は、鮮度保持剤が充填され切り花の茎端部を差し込むように構成された鮮度保持容器１０と、複数の鮮度保持容器１０を保持する保持体２０とで構成され、保持体２０に形成された複数の収納凹部２１に鮮度保持容器１０を嵌合保持し、該鮮度保持容器１０に茎部を差し込んだ切り花Ｐにて、保持体２０を飾り付けるように構成したことにある。
【０００９】
第２の手段において、前記保持体２０は、支柱３０を介して花器４０の上部に立設され、前記収納凹部２１は、前記保持体２０の前面に形成され、花器４０に差し込まれた切り花Ｐと前記保持体２０前面の前記鮮度保持容器１０に差し込んだ切り花Ｐとで前記保持体２０を飾り付けるように構成したものである。
【００１０】
第３の手段において、前記保持体２０はハート形のフレーム状を成し、該保持体２０の下端部を前記花器４０の開口部前側に立設した前記支柱３０で支持し、保持体２０の上端部を前記花器４０の開口部後側に立設した前記支柱３０で支持するように構成し、前記花器４０に差し込まれた切り花Ｐと前記保持体２０の前記鮮度保持容器１０に差し込んだ切り花Ｐとでハート形状の飾り花を形成するように構成したものである。
【考案の効果】
【００１１】
本考案の請求項１の如く、保持体２０に形成された複数の収納凹部２１に鮮度保持容器１０を嵌合保持し、該鮮度保持容器１０に茎部を差し込んだ切り花Ｐにて、保持体２０を飾り付けるように構成したことで、保持体２０の形状や保持体１０の配置が自在に変更することができる。このことにより、従来では困難な装飾も可能になるなど、飾り花の形状を極めて自由に創出できるものである。
【００１２】
請求項２のように、保持体２０は、支柱３０を介して花器４０の上部に立設され、収納凹部２１は、保持体２０の前面に形成され、花器４０に差し込まれた切り花Ｐと保持体２０前面の鮮度保持容器１０に差し込んだ切り花Ｐとで保持体２０を飾り付けるように構成したことで、保持体２０前面の切り花Ｐと花器４０の切り花Ｐとで、更にボリュームのある装飾や豪華な装飾も可能になる。
【００１３】
請求項３のごとく、花器４０に差し込まれた切り花Ｐと保持体２０の鮮度保持容器１０に差し込んだ切り花Ｐとでハート形状の飾り花を形成するように構成したことで、これまで装飾が極めて困難であったハート形の飾り花を提供することが可能になった。この結果、フラワーアレンジメントに、新たな形状のデザインを提供することができるものである。
【図面の簡単な説明】
【００１４】
【図１】本考案の一実施例を示す正面図である。
【図２】本考案の一実施例を示す要部斜視図である。
【図３】本考案の保持体と花器とを示す側面図である。
【図４】本考案の保持体と支柱との連結状態を示す斜視図である。
【図５】本考案の装飾状態を示す正面図である。
【考案を実施するための形態】
【００１５】
このように本考案によると、切り花を任意の場所に活けることができ、飾り花のデザインを自由に創出することが可能になるなどといった目的を実現した。
【００１６】
以下、本考案の一実施例を説明する。本考案の主要構成は、保持体１０、保持体２０、支柱３０、花器４０にて構成される。
【００１７】
鮮度保持容器１０は、切り花Ｐの茎端部を差し込むように構成された容器で、内部に鮮度保持剤が充填されている（図２参照）。図示の鮮度保持容器１０は、有底筒状の収納本体１１と、収納本体１１の開口部を施蓋する蓋体１２とで構成されている。更に、蓋体１２には、切り花Ｐの茎端部を差し込む挿入孔１３が開穿されている。
【００１８】
保持体２０は、複数の鮮度保持容器１０を保持する部材である。この保持体２０には、数多くの収納凹部２１が形成されており、保持体１０の収納本体１１をこの収納凹部２１に嵌合保持するものである（図２参照）。そして、鮮度保持容器１０に茎部を差し込んだ切り花Ｐにて、保持体２０を飾り付けるものである（図１参照）。
【００１９】
図１に示す保持体２０は、支柱３０を介して花器４０の上部に立設されている。図示の保持体２０はハート形のフレーム状を成しており、保持体２０の前面に収納凹部２１を形成している。このように、フレーム状の保持体２０を形成することで、図示のハート形のみでなく、例えば数字やアルファベット等の文字から動物や昆虫等の形状などに至るまで、極めて自在な形状を選択することができる。
【００２０】
また、保持体２０は、支柱３０を介して花器４０に支持されている。図示の支柱３０は、保持体２０の前後に一対配している（図３参照）。すなわち、ハート形の保持体２０の下端部を支持する前支柱３１と、保持体２０の上端部を支持する後支柱３２である。前支柱３１は花器４０の開口部前側に立設し、後支柱３２は花器４０の開口部後側に立設している（図４参照）。
【００２１】
花器４０は、内部に吸水材４１が収納されており、この吸水材４１に支柱３０や切り花Ｐを差し込んで固定する。そして、この花器４０に差し込まれた切り花Ｐと保持体２０の鮮度保持容器１０に差し込んだ切り花Ｐとを組み合せて飾り付けることもできる。図示例では、保持体２０の切り花Ｐにてハート形状の飾り花を形成するように構成し、花器４０の切り花Ｐにてハート形状の中央部分を飾り付けている（図５参照）。また、用途によっては、切り花Ｐのほかにリボン等を加えることも可能である。
【００２２】
本考案の構成は図示例に限定されるものでなく、保持体１０、保持体２０、支柱３０、花器４０の等の形状や構成は、図示例に限定されるものではなく、各材質の変更も自由であり、本考案の要旨を変更しない範囲で任意に変更することができる。
【符号の説明】
【００２３】
Ｐ  切り花
１０  保持体
１１  収納本体
１２  蓋体
１３  挿入孔
２０  保持体
２１  収納凹部
３０  支柱
３１  前支柱
３２  後支柱
４０  花器
４１  吸水材
【図１】
0003178088.tif 000003
【図２】
0003178088.tif 000004
【図３】
0003178088.tif 000005
【図４】
0003178088.tif 000006
【図５】
0003178088.tif 000007